【手続補正書】
【提出日】平成19年7月25日(2007.7.25)
【手続補正１】
【補正対象書類名】明細書
【補正対象項目名】特許請求の範囲
【補正方法】変更
【補正の内容】
【特許請求の範囲】
【請求項１】  少なくとも、公衆回線網を介してファクシミリ情報を送信する第１の送信モードと、ネットワークを介して電子メールを送信する第２の送信モードとを有するファクシミリ装置において、
電話番号およびメールアドレスの内の少なくとも一方が対応付けられた複数の相手先名称を登録する登録手段と、
文字列を入力する入力手段と、
前記第１の送信モードと前記第２の送信モードのうち、いずれか一方の送信モードを選択する送信モード選択手段と、
前記入力手段により入力された文字列と、前記送信モード選択手段により選択された送信モードとに基づいて、前記登録手段に登録されている相手先名称を検索する検索手段と、
前記検索手段により検索された相手先名称とともに、当該相手先名称に対応付けられた電話番号またはメールアドレスを表示する表示手段と、
前記表示手段に表示された相手先名称を用いて送信相手先を指定する送信相手先指定手段と
を備えることを特徴とするファクシミリ装置。
【請求項２】  前記検索手段は、前記入力手段により入力された文字列を検索キーワードとして、前記登録手段に登録されている相手先名称を検索することを特徴とする請求項１記載のファクシミリ装置。
【請求項３】  前記送信モード選択手段により前記第２の送信モードが選択されたときには、前記検索手段は、前記登録手段に登録されている複数の相手先名称のうちメールアドレスが対応付けて登録されている相手先名称を検索対象とすることを特徴とする請求項２記載のファクシミリ装置。
【請求項４】  前記送信モード選択手段により前記第１の送信モードが選択されたときには、前記検索手段は、前記登録手段に登録されている複数の相手先名称のうち電話番号が対応付けて登録されている相手先名称を検索対象とすることを特徴とする請求項２記載のファクシミリ装置。
【請求項５】  通信結果を表す通信結果レポートを出力する通信結果出力手段を備え、
前記通信結果出力手段は、前記送信相手先指定手段により送信相手先が指定されたときには、前記送信相手先が前記検索手段により検索された相手先名称を用いて指定された送信相手先であることを示す情報を前記通信結果レポートに記述することを特徴とする請求項１記載のファクシミリ装置。
【請求項６】  前記登録手段に登録されている複数の相手先名称を、電話番号およびメールアドレスが対応付けて登録されている相手先名称、電話番号のみが対応付けて登録されている相手先名称、メールアドレスのみが対応付けて登録されている相手先名称のそれぞれに区分し、それぞれを個別にレポートとして出力する出力手段を備えることを特徴とする請求項１記載のファクシミリ装置。
【請求項７】  前記出力手段は、前記区分された相手先名称をそれぞれ所定の順序に並び替え、当該並び替えた順序で前記相手先名称および当該相手先名称に対応付けられた電話番号およびメールアドレスの両方、または電話番号およびメールアドレスのいずれか一方を記述したレポートを出力することを特徴とする請求項６記載のファクシミリ装置。
【請求項８】  前記複数の相手先名称にそれぞれ対応付けて前記ファクシミリ情報および前記電子メールの受信の可不可を示す情報を保持する受信可不可情報保持手段と、
前記検索手段により検索された相手先名称に対して前記ファクシミリ情報および前記電子メールの受信の不可を示す情報が保持されているときには、当該相手先名称を送信相手先として指定することを禁止するように設定する設定手段とを備えることを特徴とする請求項１記載のファクシミリ装置。
【請求項９】  前記設定手段は、前記検索手段により検索された相手先名称に対して前記ファクシミリ情報および前記電子メールの受信の不可を示す情報が保持されているときには、該相手先名称に対してその相手先名称のみが前記表示手段に表示されるよう設定するとともに、当該相手先名称に対して送信相手先とする指定を受付けないように設定することを特徴とする請求項８記載のファクシミリ装置。
【請求項１０】  少なくとも、公衆回線網を介してファクシミリ情報を送信する第１の送信モードと、ネットワークを介して電子メールを送信する第２の送信モードとを有するファクシミリ装置において、
前記第１の送信モードに対応する相手先情報および前記第２の送信モードに対応する相手先情報を登録する登録手段と、
前記第１の送信モードと前記第２の送信モードのうち、いずれか一方の送信モードを選択する送信モード選択手段と、
前記登録手段に登録されている相手先情報のうち、前記送信モード選択手段により選択された送信モードに対応する相手先情報を読み出す読出手段と、
前記読出手段により読み出された相手先情報を送信相手先として指定可能に表示する表示手段と、
前記表示手段により表示された相手先情報のうち少なくとも１つ以上を送信相手先として指定する送信相手先指定手段と
を備えることを特徴とするファクシミリ装置。
【請求項１１】  前記第１の送信モードに対応する相手先情報は、少なくとも相手先名称およびその電話番号を含み、前記第２の送信モードに対応する相手先情報は、少なくとも相手先名称およびそのメールアドレスを含むことを特徴とする請求項１０記載のファクシミリ装置。
【請求項１２】  前記送信先指定手段は、前記表示手段に表示された相手先名称を指定するための入力操作を行う操作手段を有し、
前記入力操作に応じて送信相手先を指定することを特徴とする請求項１１記載のファクシミリ装置。
【請求項１３】  前記相手先情報の相手先名称を前記表示手段に表示する際に、該相手先名称を所定の順序に並び替えて表示することを特徴とする請求項１２記載のファクシミリ装置。
【請求項１４】  少なくとも、公衆回線網を介してファクシミリ情報を送信する第１の送信モードと、ネットワークを介して電子メールを送信する第２の送信モードとを有するファクシミリ装置の送信先選択方法において、
文字列を入力する入力工程と、
前記第１の送信モードと前記第２の送信モードのうち、いずれか一方の送信モードを選択する送信モード選択工程と、
前記入力工程で入力された文字列と、前記送信モード選択手段により選択された送信モードとに基づいて、電話番号およびメールアドレスの内の少なくとも一方が対応付けられた複数の相手先名称を登録する登録手段に登録されている相手先名称を検索する検索工程と、
前記検索された相手先名称とともに、当該相手先名称に対応付けられた電話番号またはメールアドレスを表示手段に表示する表示工程と、
前記表示手段に表示された相手先名称を用いて送信相手先を指定する送信相手先指定工程と
を有することを特徴とする送信先選択方法。
【請求項１５】  前記検索工程では、前記入力工程で入力された文字列を検索キーワードとして、前記登録手段に登録されている相手先名称を検索することを特徴とする請求項１４記載の送信先選択方法。
【請求項１６】  前記送信モード選択工程で前記第２の送信モードが選択されたときには、前記検索工程では、前記登録手段に登録されている複数の相手先名称のうちメールアドレスが対応付けて登録されている相手先名称を検索対象とすることを特徴とする請求項１５記載の送信先選択方法。
【請求項１７】  前記送信モード選択工程で前記第１の送信モードが選択されたときには、前記検索工程では、前記登録手段に登録されている複数の相手先名称のうち電話番号が対応付けて登録されている相手先名称を検索対象とすることを特徴とする請求項１５記載の送信先選択方法。
【請求項１８】  通信結果を表す通信結果レポートを出力する通信結果出力工程を有し、
前記通信結果出力工程では、前記送信相手先指定工程で送信相手先が指定されたときには、該送信相手先が前記検索工程で検索された相手先名称を用いて指定された送信相手先であることを示す情報を前記通信結果レポートに記述することを特徴とする請求項１４記載の送信先選択方法。
【請求項１９】  前記登録手段に登録されている複数の相手先名称を、電話番号およびメールアドレスが対応付けて登録されている相手先名称、電話番号のみが対応付けて登録されている相手先名称、メールアドレスのみが対応付けて登録されている相手先名称のそれぞれに区分し、それぞれを個別にレポートとして出力する出力工程を有することを特徴とする請求項１４記載の送信先選択方法。
【請求項２０】  前記出力工程では、前記区分された相手先名称をそれぞれ所定の順序に並び替え、当該並び替えた順序で前記相手先名称および当該相手先名称に対応付けられた電話番号およびメールアドレスの両方、または電話番号およびメールアドレスのいずれか一方を記述したレポートを出力することを特徴とする請求項１９記載の送信先選択方法。
【請求項２１】  前記複数の相手先名称にそれぞれ対応付けて登録されている前記ファクシミリ情報および前記電子メールの受信の可不可を示す情報を保持する受信可不可情報保持手段に、前記検索工程で検索された相手先名称に対して前記ファクシミリ情報および前記電子メールの受信の不可を示す情報が保持されているときには、当該相手先名称を送信相手先として指定することを禁止するように設定する設定工程を有することを特徴とする請求項１４記載の送信先選択方法。
【請求項２２】  前記設定工程では、前記検索工程で検索された相手先名称に対して前記ファクシミリ情報および前記電子メールの受信の不可を示す情報が保持されているときには、該相手先名称に対してその相手先名称のみが前記表示手段に表示されるよう設定するとともに、当該相手先名称に対して送信相手先とする指定を受付けないように設定することを特徴とする請求項２１記載の送信先選択方法。
【請求項２３】  少なくとも、公衆回線網を介してファクシミリ情報を送信する第１の送信モードと、ネットワークを介して電子メールを送信する第２の送信モードとを有するファクシミリ装置の送信先選択方法において、
前記第１の送信モードと前記第２の送信モードのうち、いずれか一方の送信モードを選択する送信モード選択工程と、
前記第１の送信モードに対応する相手先情報および前記第２の送信モードに対応する相手先情報を登録する登録手段に登録されている相手先情報のうち、前記送信モード選択工程で選択された送信モードに対応する相手先情報を読み出す読出工程と、
前記読出工程で読み出された相手先情報を送信相手先として指定可能に表示手段に表示する表示工程と、
前記表示手段により表示された相手先情報のうち少なくとも１つ以上を送信相手先として指定する送信相手先指定工程と
を備えることを特徴とする送信先選択方法。
【請求項２４】  前記第１の送信モードに対応する相手先情報は、少なくとも相手先名称およびその電話番号を含み、前記第２の送信モードに対応する相手先情報は、少なくとも相手先名称およびそのメールアドレスを含むことを特徴とする請求項２３記載の送信先選択方法。
【請求項２５】  前記送信先指定工程は、前記表示手段に表示された相手先名称を指定するための入力操作を行う工程を有し、
前記入力操作に応じて送信相手先を指定することを特徴とする請求項２４記載の送信先選択方法。
【請求項２６】  前記相手先情報の相手先名称を前記表示手段に表示する際に、該相手先名称を所定の順序に並び替えて表示することを特徴とする請求項２５記載の送信先選択方法。
【手続補正２】
【補正対象書類名】明細書
【補正対象項目名】０００１
【補正方法】変更
【補正の内容】
【０００１】
【発明の属する技術分野】
本発明は、少なくとも、公衆回線網を介してファクシミリ情報を送信する第１の送信モードと、ネットワークを介して電子メールを送信する第２の送信モードとを有するファクシミリ装置およびそれに用いられる送信先選択方法に関する。
【手続補正３】
【補正対象書類名】明細書
【補正対象項目名】０００５
【補正方法】変更
【補正の内容】
【０００５】
【課題を解決するための手段】
本発明は、少なくとも、公衆回線網を介してファクシミリ情報を送信する第１の送信モードと、ネットワークを介して電子メールを送信する第２の送信モードとを有するファクシミリ装置において、電話番号およびメールアドレスの内の少なくとも一方が対応付けられた複数の相手先名称を登録する登録手段と、文字列を入力する入力手段と、前記第１の送信モードと前記第２の送信モードのうち、いずれか一方の送信モードを選択する送信モード選択手段と、前記入力手段により入力された文字列と、前記送信モード選択手段により選択された送信モードとに基づいて、前記登録手段に登録されている相手先名称を検索する検索手段と、前記検索手段により検索された相手先名称とともに、当該相手先名称に対応付けられた電話番号またはメールアドレスを表示する表示手段と、前記表示手段に表示された相手先名称を用いて送信相手先を指定する送信相手先指定手段とを備えることを特徴とする。
【手続補正４】
【補正対象書類名】明細書
【補正対象項目名】０００６
【補正方法】変更
【補正の内容】
【０００６】
本発明は、少なくとも、公衆回線網を介してファクシミリ情報を送信する第１の送信モードと、ネットワークを介して電子メールを送信する第２の送信モードとを有するファクシミリ装置において、前記第１の送信モードに対応する相手先情報および前記第２の送信モードに対応する相手先情報を登録する登録手段と、前記第１の送信モードと前記第２の送信モードのうち、いずれか一方の送信モードを選択する送信モード選択手段と、前記登録手段に登録されている相手先情報のうち、前記送信モード選択手段により選択された送信モードに対応する相手先情報を読み出す読出手段と、前記読出手段により読み出された相手先情報を送信相手先として指定可能に表示する表示手段と、前記表示手段により表示された相手先情報のうち少なくとも１つ以上を送信相手先として指定する送信相手先指定手段とを備えることを特徴とする。
【手続補正５】
【補正対象書類名】明細書
【補正対象項目名】０００７
【補正方法】変更
【補正の内容】
【０００７】
本発明は、少なくとも、公衆回線網を介してファクシミリ情報を送信する第１の送信モードと、ネットワークを介して電子メールを送信する第２の送信モードとを有するファクシミリ装置の送信先選択方法において、文字列を入力する入力工程と、前記第１の送信モードと前記第２の送信モードのうち、いずれか一方の送信モードを選択する送信モード選択工程と、前記入力手段により入力された文字列と、前記送信モード選択手段により選択された送信モードとに基づいて、電話番号およびメールアドレスの内の少なくとも一方が対応付けられた複数の相手先名称を登録する登録手段に登録されている相手先名称を検索する検索工程と、前記検索された相手先名称とともに、当該相手先名称に対応付けられた電話番号またはメールアドレスを表示手段に表示する表示工程と、前記表示手段に表示された相手先名称を用いて送信相手先を指定する送信相手先指定工程とを有することを特徴とする。
【手続補正６】
【補正対象書類名】明細書
【補正対象項目名】０００８
【補正方法】変更
【補正の内容】
【０００８】
本発明は、少なくとも、公衆回線網を介してファクシミリ情報を送信する第１の送信モードと、ネットワークを介して電子メールを送信する第２の送信モードとを有するファクシミリ装置の送信先選択方法において、前記第１の送信モードと前記第２の送信モードのうち、いずれか一方の送信モードを選択する送信モード選択工程と、前記第１の送信モードに対応する相手先情報および前記第２の送信モードに対応する相手先情報を登録する登録手段に登録されている相手先情報のうち、前記送信モード選択工程で選択された送信モードに対応する相手先情報を読み出す読出工程と、前記読出工程で読み出された相手先情報を送信相手先として指定可能に表示手段に表示する表示工程と、前記表示手段により表示された相手先情報のうち少なくとも１つ以上を送信相手先として指定する送信相手先指定工程とを備えることを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】削除
【補正の内容】
【手続補正１３】
【補正対象書類名】明細書
【補正対象項目名】００１５
【補正方法】削除
【補正の内容】
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】削除
【補正の内容】
【手続補正１８】
【補正対象書類名】明細書
【補正対象項目名】００２０
【補正方法】削除
【補正の内容】
【手続補正１９】
【補正対象書類名】明細書
【補正対象項目名】００２１
【補正方法】削除
【補正の内容】
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００７２
【補正方法】変更
【補正の内容】
【００７２】
【発明の効果】
以上説明したように、本発明によれば、送信相手先を選択する際の利便性を向上させることができる。
【手続補正３０】
【補正対象書類名】明細書
【補正対象項目名】００７３
【補正方法】削除
【補正の内容】
【手続補正３１】
【補正対象書類名】明細書
【補正対象項目名】００７４
【補正方法】削除
【補正の内容】
【手続補正３２】
【補正対象書類名】明細書
【補正対象項目名】００７５
【補正方法】削除
【補正の内容】
【手続補正３３】
【補正対象書類名】明細書
【補正対象項目名】００７６
【補正方法】削除
【補正の内容】
【手続補正３４】
【補正対象書類名】明細書
【補正対象項目名】００７７
【補正方法】削除
【補正の内容】